(57)【要約】【課題】狭小口径の容器で内部の洗浄が大型ポリタンク又は小型の瓶、ペットボトル、水筒等の洗浄が容易に出来る。洗浄具を提供する。【解決手段】ポリタンク等の大型容器の洗浄具として図１と図２に示す様に円柱形のブラシ４とリング５又はチェーン６を連結した。又瓶、ペットボトル、水筒等の小型容器の洗浄具として図７に示す繊維ブラシ８とチェーン６を連結する事で容器内に小量の水を入れ振り動かすだけで容器内の形状に対応し完全に汚れを落す事が出来る。図１、図２、図７共に自在な動きが出来る事を特徴とする。洗済や標白剤を使用する事なく、水のみで洗浄出来る為健康状の利点もある。ブラシを取り出し易くする為適度な長さの紐を付けた。収納も小さくまとめ掛けて置くだけで乾燥出来使い勝手のいい洗浄具である。【選択図】図２
2019195797.tif 000002
【特許請求の範囲】
【請求項１】
円柱形の複数のブラシ４と複数のリング５又は複数のチェーン６を連結し自在に動き複数のブラシを連結する事でブラシ面を大きくした狭小口径の大型容器の洗浄具。
【請求項２】
請求項１記戴のブラシの長軸方向に輪３を設けリング５又はチェーン６を接続し又一方端に紐２を繋げ容器の底につく長さとし紐の一方端に外部での固定の為のリングを設けた洗浄具。
【請求項３】
繊維糸を結束した複数のブラシ８と複数のチェーン６を連結、容器の中に押し込む為のパーツ７と外部固定用のリングを設けた狭小口径の小型容器の洗浄具。
【発明の詳細な説明】
【技術分野】
【０００１】本発明は狭小口径の容器で内部の洗浄困難な汚れを容易に落すための便利な洗浄具。
【背景技術】
【０００２】従来の狭小口径用の洗浄具は柄付きブラシ形態が殆んどで持手反対側一方端にスポンジ、毛ブラシ、の単体で設けられており、ブラシ、また柄のサイズは洗浄容器のサイズに寄って異なる。【０００３】下記の特許分献１に提案されている中にポール状の物が入ったブラシをネットで繋いだもの又連結紐で繋いだものでボトル、ペットボトルの洗浄具がある。【０００４】洗浄具メーカーや通販サイトの洗浄具の中にボトルや水筒の洗浄具として（ＰＡｗａｃａ）洗浄ビーンズ、特許文献２に示すフルフル哺乳瓶洗浄具が提案されている。
【先行技術文献】
【特許文献】
【０００５】
【特許文献１】公開特許公報  特開２０１０−１２４４９
【特許文献２】公開特許公報  特開２００７−２８９５７９
【発明の概要】
【発明が解決しようとする課題】
【０００６】狭小口径の容器で洗浄困難なものに対する洗浄具として前記の特許文献１図１に記戴されている洗浄具は２ツ折れの動きのみで回転する動きがなく自在の動きに制限がある。ブラシの形状はくぼみ、隅の洗浄が難しい。【０００７】特許文献２については哺乳瓶の内部洗浄具として提供されており哺乳瓶より口元の小さい物への対応が出来ない。ブラシ部分が単体でブラシ面が小さく容器の内部の接触不足が生じスピーディな洗浄が出来ない。【０００８】またスポンジやシリコンビーズ等があるが保形されたブラシの形状が内部の形状に対応出来ていないものが多く為接触不足が生じる。シリコンビーズ等各々単体になっているため紛失する事もある。【０００９】狭小口径の大型容器の洗浄具は殆んど柄付きブラシが多い。しかしながらくぼみ、隅、容器の肩にブラシをピンポイントで当てる事が困難で簡単に汚れを落すことが出来ない。又使用後のブラシの収納も大型で場所を取る。【００１０】特にポリタンクやペットボトル等飲料水用として使用する場合特に災害時等長期間の使用する事もあり既存の洗浄具では時間と体力を必要となり手軽な洗浄が出来ず不衛生になり易い。
【課題を解決する為の手段】
【００１１】本発明は課題を解決する為、複数のブラシと複数のリング又はチェーンを繋ぐことに寄り自在な動きとブラシ面を大きくする事でユーザーは振り動ごかすだけで容易にスピーディにポリタンク等の大型容器の洗浄が出来る。
【００１２】本発明はブラシを円柱形にする事で内部のくぼみ隅や容器の肩に当て易い。
又振り動かすのみでブラシが回転し接触頻度が高くなり汚れを落ち易くした。
【００１３】本発明は既存の洗浄具に比べ洗浄容器のサイズ深さ形状に対応巾が広く又洗浄後のブラシは巻き込んだり吊して置くだけでコンパクトに収納出来る。
【００１４】繊維糸結束ブラシとチェーンを接続することで自在な動きが出来る小型容器洗浄具。毛先は保形せず裁ち切りにし内部の形状に対応し内部面の損傷する事なく洗浄出来る。
【００１５】紐の一方端のリング１は狭小口径容器の場合洗浄具のすべてが中に入り込むと取り出しが困難なため外部で固定する。
【００１６】小型容器の中に少量の水を入れ繊維結束ブラシ８を口元から押し入れリング１を指に固定し振り動ごかして洗浄する。洗浄後の取り出しは口元を下にブラシを引っ張り出し数回水でゆすぐ。ペットボトル、哺乳瓶、水筒花瓶等の小型容器に適している。
【発明の効果】
【００１７】本発明はブラシ４とリング５またはチェーン６を連結することで自在に振り動かすだけで簡単に洗浄が出来た。
【００１８】ブラシを円柱形にする事により隅、くぼみ、タンクの肩の部分等内部の形状に対応出来る。汚れが落しにくい部分も容易に出来る。
【００１９】円柱形のブラシ複数連結した事で全体のブラシ面を大きくした。又円柱形のブラシは振り動かすだけで常に回転しながら洗浄面と接触頻度が高まり洗浄がスピーディに出来た。
【００２０】本発明は複数のブラシとリング又はチェーンを連結する事で重りとしての役割を果し洗浄面との接触頻度が高まり小量の水を入れ振り動ごかすだけで落ちにくい汚れや水苔等も簡単に落ちる為頻繁に洗浄が出来る為特に飲料水等について衛生的である。
【００２１】本発明の繊維ブラシ８の糸は形成せず裁ち切りにし内部の形状に対応出来た。又ブラシの当りが矛らかく、ペットボトル、哺乳瓶、水筒の内部を傷つける事なく洗浄出来た。
【００２２】本発明の図１、図２、図７の洗浄具は標白剤、洗剤を使用する事なく水、お湯のみで完全に汚れを落す事が出来健康上の利点がある。
【図面の簡単な説明】
【００２３】
【図１】本発明に係るブラシとリングを連結したブラシの全体図
【図２】本発明に係るブラシとチェーンを連結したブラシの全体図
【図３】ブラシの円柱形の形状図
【図４】リングの形状図
【図５】チェーンの形状図
【図６】大型容器内部投入図
【図７】本発明に係る繊維ブラシとチェーンを連結した全体図
【図８】小型容器内部へブラシ投入図
【発明を実施する為の形態】
【００２４】本発明は狭小口径大型容器用として図１又図２に示し又小型容器用として図７を提案洗浄困難なものに対応について詳述する。
【００２５】図１はブラシ４とリング５又チェーン６を連結する事て自在に動く様にした。
【００２６】ブラシ複数を連結する事で全体のブラシ面を大きくし洗浄面との接触巾を広く出来大型容器、ポリタンク等の洗浄がスピーディに出来る様にした。
【００２７】ブラシ４円柱形にする事で内部形状に対応出来ユーザーは振り動かすだけで内部のどの部分にもブラシを当てる事が出来ブラシは振り動かす時常に回転し接触頻度を高める様にした。
【００２８】図６に示す様に口元よりブラシを押し入れ適度な水を入れリング１を指に固定し手で口元を塞ぎ振り動かし角度を変えながら内部を洗浄する。
洗浄後は口元を下に向けブラシを取り出す。
【００２９】紐の長さは図６と図８に示す様に容器の底に充分届く長さとし紐の一方端のリングはブラシが中に入り込むと取り出し困難となる為外で指に固定する様にした。
【００３０】本発明のブラシは柄付きブラシに比べ収納がコンパクトに出来、洗浄後は掛けて置くだけで乾燥出来る。
【００３１】図８に示す洗浄具は繊維糸を結束したブラシ８とチェーン６を連結した自在な動きが出来る様にした。又複数のブラシを連結する事でブラシ面を大きくした小型容器の洗浄に適している。
【００３２】繊維糸ブラシ保形せず裁ち切りにする事で隅、くぼみ等細かい所まで毛先が入り充分な洗浄が出きる。又ブラシの当りが矛らかく内部を傷つけない様にした。
【００３３】図８に示す様に押し込みパーツ７で口元から押し入れ小量の水を入れて口元を手で塞ぎ振り動かす洗浄後は口元を下に向け引張り出す。
【符号の説明】１  外での固定の為のリング
２  自在に動かす為の紐
３  ブラシ両サイドに紐またはリング、チェーンを通す為の輪
４  円柱形ブラシ
５  金属リング
６  金属チェーン
７  押し込みパーツ
８  繊維糸ブラシ
【図１】
2019195797.tif 000003
【図２】
2019195797.tif 000004
【図３】
2019195797.tif 000005
【図４】
2019195797.tif 000006
【図５】
2019195797.tif 000007
【図６】
2019195797.tif 000008
【図７】
2019195797.tif 000009
【図８】
2019195797.tif 000010